(57)【要約】  印刷店頭のネットワークを通じて印刷物を注文する方法及び装置が提示される。１つの店頭で定義された印刷可能な製品は、他の店頭で定義された製品から引き継ぐことにより定義されてもよい。複数の店頭は、仮想印刷コミュニティで協力し、顧客がコミュニティのいずれかの店頭から製品をブラウズして注文することを可能にする。
2011524041.tif 000002
【特許請求の範囲】
【請求項１】
印刷コミュニティに参加するように複数の店頭を構成し、
印刷の買い手が、インタフェースを通じて所望の製品の特性を前記印刷コミュニティに指定し、
前記印刷コミュニティの前記複数の店頭から情報を取得し、前記情報は、前記所望の製品の特性に合致する製品についての情報を含み、
前記印刷コミュニティの前記複数の店頭からの情報に基づいて前記所望の製品の特性に合致する製品を決定し、
前記所望の製品の特性に合致する製品についての情報を前記印刷の買い手に提示することを有する印刷方法。
【請求項２】
前記印刷コミュニティに参加するように店頭を構成することは、前記店頭により前記印刷コミュニティに提供される製品の特性の送出を可能にすることを有する、請求項１に記載の方法。
【請求項３】
前記印刷コミュニティに参加するように店頭を構成することは、前記印刷コミュニティを通じて提供される製品に制限を定めることを有する、請求項２に記載の方法。
【請求項４】
前記印刷コミュニティを通じて提供される製品に制限を定めることは、前記印刷コミュニティを通じて提供される製品の一部を選択することと、前記印刷コミュニティを通じて提供される製品の特性を変更することとのうち１つ以上を有する、請求項３に記載の方法。
【請求項５】
前記所望の製品の特性を指定することは、前記所望の製品を提供するサービスプロバイダの特性と、前記所望の製品を提供する前記サービスプロバイダによりサービス提供される位置の特性とのうち１つ以上を指定することを更に有する、請求項２に記載の方法。
【請求項６】
前記印刷コミュニティへの前記インタフェースは、前記印刷コミュニティの店頭を有する、請求項１に記載の方法。
【請求項７】
前記印刷コミュニティへの前記インタフェースは、前記印刷コミュニティの管理サーバを有する、請求項１に記載の方法。
【請求項８】
前記複数の店頭は、複数のサービスプロバイダにより運営され、
印刷の買い手による店頭へのアクセスは、前記印刷の買い手の前記店頭へのアクセスを構成することに依存する、請求項１に記載の方法。
【請求項９】
前記印刷コミュニティに参加するように店頭を構成することは、前記印刷コミュニティへの前記インタフェースを、前記印刷コミュニティの店頭へ少なくとも部分的にアクセス可能にすることを有する、請求項８に記載の方法。
【請求項１０】
前記印刷の買い手が前記複数の店頭のうち１つにより提供される製品を選択することを更に有する、請求項９に記載の方法。
【請求項１１】
前記製品を選択することは、
前記印刷コミュニティへの前記インタフェースが前記店頭への代理のアクセスを自動的に提供し、
前記印刷の買い手が前記店頭を通じて直接注文することを更に有する、請求項１０に記載の方法。
【請求項１２】
前記印刷コミュニティへの前記インタフェースは、前記印刷コミュニティの第１の店頭であり、
前記製品を選択することは、前記第１の店頭が前記印刷の買い手の代わりに他の店頭の１つと前記選択された製品の注文を行うことを更に有する、請求項１０に記載の方法。
【請求項１３】
前記複数の店頭のうち１つにより提供される製品を選択することは、前記印刷コミュニティにおいて前記製品の選択に関する情報を格納することを有する、請求項１０に記載の方法。
【請求項１４】
前記製品の選択に関する前記情報に基づいてレポートを生成することを更に有する、請求項１３に記載の方法。
【請求項１５】
所望の製品の特性に合致する製品を決定することに関する情報を格納することを更に有する、請求項１に記載の方法。
【請求項１６】
所望の製品の特性に合致する製品の検索に関する情報に基づいてレポートを生成することを更に有する、請求項１５に記載の方法。
【請求項１７】
印刷コミュニティに参加し、
前記印刷コミュニティを通じて注文可能な製品についての情報を提供し、
所望の製品の特性を指定するインタフェースを印刷の買い手に提供し、
前記印刷コミュニティの複数の店頭から情報を取得し、前記情報は、所望の製品の特性に合致する製品についての情報を含み、
前記印刷コミュニティの前記複数の店頭からの情報に基づいて所望の製品の特性に合致する製品を決定し、
所望の製品の特性に合致する製品についての情報を前記印刷の買い手に提示し、
前記印刷コミュニティを通じて注文可能な製品の注文を処理するために他の店頭と協調するようにそれぞれ動作可能な複数の店頭を有する印刷注文装置。
【請求項１８】
印刷コミュニティに参加した店頭についての情報を保持し、
所望の製品の特性を指定するインタフェースを印刷の買い手に提供し、
前記印刷コミュニティの複数の店頭からの情報を取得し、前記情報は、所望の製品の特性に合致する製品についての情報を含み、
前記印刷コミュニティの前記複数の店頭からの情報に基づいて所望の製品の特性に合致する製品を決定し、
所望の製品の特性に合致する製品についての情報を前記印刷の買い手に提示し、
前記店頭により特定された製品の注文を処理するために前記印刷コミュニティの店頭と協調するように動作可能な少なくとも１つの印刷コミュニティサーバと、
印刷コミュニティに参加し、
前記印刷コミュニティを通じて注文可能な製品についての情報を提供し、
前記印刷コミュニティに対して特定された製品の注文を処理するために印刷コミュニティサーバと協調するようにそれぞれ動作可能な複数の店頭と
を有する印刷注文装置。
【請求項１９】
コンピュータプロセッサにより実行されたときに、前記コンピュータプロセッサに請求項１に記載の方法を実行させる命令を有する一式のコンピュータ可読信号を伝達する媒体。
【発明の詳細な説明】
【技術分野】
【０００１】
本発明は、印刷物の注文に関し、特に印刷物の注文及び実行のために印刷システムのネットワークを使用することに関する。
【背景技術】
【０００２】
近年、印刷では自動化が重要なテーマになっている。手動的処理をコンピュータ化及び自動化された方法に変更することは、印刷物の制作の多くの領域で行われており、近年、注文取りのような顧客に直面する処理にも拡張されている。これは、低い利益幅で比較的少量を有する印刷の注文の場合に特に当てはまる。
【０００３】
多くの印刷サービスプロバイダは、印刷の買い手が所定の製品（印刷物）のカタログから遠隔で注文することができるインターネットに基づく店頭（storefront）のプレゼンスを確立している。これらの注文可能な製品は、静的な製品（例えば、申込用紙、はがき）と、買い手により与えられる内容及び目的で完全に指定され得る製品又はパーソナライズされ得る製品（例えば、挨拶状、名刺）とを含み得る。
【０００４】
店頭の自動化は、所定の製品についての顧客の内容及び目的の自動的な取得と、価格決定の自動的な生成及び料金の収集とを含み得る。同一出願人による米国特許出願第11/678,250号は、所定の製品を注文する処理を自動化する例示的な店頭について記載しており、この内容が援用される。自動的に取得された印刷の注文は、実行のために印刷システムに配信され得る。
【０００５】
印刷の注文の自動的な実行は、注文の印刷ジョブの自動的な生成と、印刷ジョブの自動的な処理とを含み得る。同一出願人による米国特許出願第11/538,937号は、注文可能な製品に指定された印刷目的パラメータを印刷製品処理で利用される製品処理パラメータに変換するルールを生成することにより、印刷の注文の実行を自動化する例示的な印刷システムを記載しており、この内容が援用される。
【発明の概要】
【発明が解決しようとする課題】
【０００６】
これらの例示的な従来技術のシステムは、しっかり統合されているため、高度の自動化を提供し得る。例えば、店頭は、値が印刷の買い手により指定された製品特性及び印刷目的パラメータを定義することにより、注文可能な製品を定義する。製品の定義はまた、印刷内容及び／又は印刷の買い手により与えられる内容のプレースホルダー（placeholder）を含むことができ、印刷システムと共有される。この製品の定義は、店頭での他の設定可能なデータ（例えば、価格決定ルール）及び印刷システム（例えば、印刷処理ルール）の基礎を形成する。
【０００７】
換言すると、自動化は、特定の共有情報にかなり依存する予め設定された情報を犠牲にして行われる。この依存及び共有度は、親密な関係を有しており、製品の量が設定の費用を保証する組織には受け入れることができる。しかし、市場は、多数の比較的独立した組織を含み、或るものは多数の印刷の買い手へのアクセスを有するが、限られた印刷機能を有し（例えば、サービスビューロー及び大企業）、或るものは、印刷機能及び専門家を有するが、限られた顧客基盤を有する印刷会社のようなものもある。
【０００８】
これらの独立した組織は、相互に協調する機能から利益を受けるが、設定コスト及び誤りに対する可能性は、これらの組織の提供を、統合する供給業者とは競合できなくしている可能性がある。印刷の買い手はまた、大量の印刷サービスへの容易なアクセスから利益を受ける。例えば、印刷の買い手は、製品（挨拶状又は名刺）の複数のサービスプロバイダから広範囲のカタログを容易に検索し、これらの提供を比較したいと考えることがある。従来技術のシステムは、垂直統合された印刷サービスプロバイダと競争力のある自動化度で、このような組織的な協調及び柔軟な印刷の購買経験を可能にしない。
【課題を解決するための手段】
【０００９】
本発明は、自動化印刷調達処理を提供する際に協調する独立した店頭及び印刷システムのネットワークを提供する。このネットワークは、印刷の買い手がネットワークを通じて印刷製品を注文し、ネットワークの店頭の１つに関連する印刷システムにより自動的に実行させ得るように、店頭が注文可能な製品についての情報をネットワークの他のシステムに提供することを可能にする。
【００１０】
本発明の一態様によれば、店頭システムは、印刷の買い手が第２の店頭システムから注文でき、注文が関連する印刷システムによる自動的な実行のため第１の店頭システムに自動的に外注されるように構成されてもよい。例えば、注文は製品についてでもよく、カタログの項目についてでもよい。或る実施例では、製品は、印刷項目の性質（種類）を指定するが、印刷可能な内容を含まない。パーソナライズ化を必要とし得る内容を含む内容に関連する製品は、典型的にはカタログにまとめられるため、カタログの項目と呼ばれる。明瞭にするため、  “製品（product）”という用語は、関連する内容を有する印刷製品又は関連する内容を有さない印刷製品を意味するためにこの出願を通じて使用される。
【００１１】
本発明の一態様によれば、第２の店頭での製品の定義は、第１の店頭で構成された製品の定義に関して構成されてもよい。例えば、このことにより、多くの顧客へのアクセスを有する第２の店頭の所有者は、第１の店頭への注文を自動的に生成して外注することが可能になる。例えば、第１の店頭は、限られた顧客基盤を有するが、第１の店頭の製品に基づく自動的な印刷機能を有する印刷サービスプロバイダにより運営されてもよい。第２の店頭の所有者は、注文の転送について名目上の（わずかの）料金を請求してもよく、実質的にトランザクションコストを負担しなくてもよい。第１の店頭の所有者は、実質的に更なる設定コストを負担しなくてもよく、増加した印刷量から利益を受ける。第２の店頭が企業（国際的な顧客基盤を有する大企業等）により運営されている場合、第２の店頭を運営する際の主な利益は、新しい及び／又は変更した製品の定義を構成する際の柔軟性の増加でもよい。
【００１２】
本発明の他の態様によれば、新しい製品及び依存した情報の設定を簡単にするため、印刷製品の定義は、既存の製品の定義に基づいて定義されてもよい。例えば、第１の印刷製品の定義は、多くの潜在的な選択肢を有する製品の一般的な形式を定義してもよい。次に、専門的な二次製品の定義が、第１の印刷製品の定義から選択された特性を引き継ぐことにより容易に定義されてもよい。依存した情報（価格決定ルール及び印刷物制作ルール等）は、変更なしに再利用されてもよく、選択された情報（価格決定情報等）は、必要に応じて引き継がれて特殊化されてもよい。
【００１３】
本発明の他の態様によれば、印刷の定義は、ネットワークシステム間で引き継がれてもよい。例えば、第１の店頭からの印刷の定義の或る部分は、外注の製品の定義を構成するときに、第２の店頭と自動的に共有されてもよい。第１のシステムの所有者は、外部のシステムと選択された情報を共有することを選択してもよい。例えば、選択された価格決定情報が共有されてもよく、価格決定情報が共有されなくてもよい。
【００１４】
本発明の他の態様によれば、ネットワークの複数の店頭は、店頭からの選択された製品の定義がコミュニティで見ることができコミュニティを通じて注文可能である印刷コミュニティに参加するように構成されてもよい。コミュニティの顧客は、広範囲の印刷の提供についてコミュニティをブラウズし、地理と、好みのサービスプロバイダと、他の特性とに基づいて必要になり得るいずれかの外注に影響を及ぼしてもよい。
【００１５】
本発明の他の態様によれば、印刷コミュニティに参加する店頭は、印刷の買い手により実行される検索及びコミュニティのエンティティ間での相互作用についての情報を収集して報告してもよい。この情報は、製品の提供を洗練する際にサービスプロバイダに役立ち得る。
【図面の簡単な説明】
【００１６】
【図１】従来技術による自動化印刷の例示的なシステムを示す図
【図２】本発明の一実施例による例示的な店頭のネットワークを示す図
【図３Ａ】本発明の一実施例による例示的な印刷コミュニティを示す図
【図３Ｂ】本発明の一実施例による例示的な印刷コミュニティを示す図
【図４Ａ】本発明の一実施例に従って第１の店頭で構成される例示的な招待状製品の定義を示す図
【図４Ｂ】図４Ａの製品の構造及び印刷可能な内容についての例示的な情報を示す図
【図４Ｃ】図４Ａの製品の構造及び印刷可能な内容についての例示的な情報を示す図
【図４Ｄ】図４Ａの製品の構造及び印刷可能な内容についての例示的な情報を示す図
【図４Ｅ】図４Ａの製品の構造及び印刷可能な内容についての例示的な情報を示す図
【図４Ｆ】図４Ａの製品の構造及び印刷可能な内容についての例示的な情報を示す図
【図４Ｇ】図４Ａの製品の構造及び印刷可能な内容についての例示的な情報を示す図
【図４Ｈ】図４Ａの製品の構造及び印刷可能な内容についての例示的な情報を示す図
【図４Ｉ】図４Ａの製品の構造及び印刷可能な内容についての例示的な情報を示す図
【図４Ｊ】図４Ａの製品の構造及び印刷可能な内容についての例示的な情報を示す図
【図５】本発明の一実施例に従って第１の店頭での製品の定義から引き継ぐことにより第２の店頭で構成された例示的な製品の定義を示す図
【図６】本発明の他の実施例による第１の店頭での製品の定義に関する、第２の店頭で構成された例示的な製品の定義を示す図
【図７】本発明の一実施例に従って引き継ぐことにより子製品を構成する例示的な時系列を示す図
【図８】本発明の一実施例に従って店頭のネットワークを通じて子製品を注文する例示的な時系列を示す図
【図９】本発明の一実施例に従って印刷コミュニティで製品をブラウズする例示的なユーザインタフェースを示す図
【図１０】本発明に従って印刷コミュニティから製品を注文する例示的な時系列を示す図
【発明を実施するための形態】
【００１７】
本発明の前記及び他の態様は、以下の詳細な説明でより詳しく記載される。
【００１８】
図１は、自動化印刷の例示的な従来技術のシステム10を示す図である。例えば、システム10は、前述の同一出願人による参考文献に従う。要するに、印刷の買い手1又は2は、任意の位置で顧客コンピュータを使用し、広域ネットワーク3を通じて印刷サービスプロバイダ4にアクセスし、印刷製品（印刷物）を注文する。例えば、印刷サービスプロバイダ4は、印刷注文のトランザクションを実行するために印刷の買い手1又は2と通信するコンピュータ化された店頭（storefront）5を含んでもよい。例えば、印刷サービスプロバイダ4はまた、ローカルエリアネットワーク7を通じて店頭5と通信するコンピュータ化された印刷システム6を含んでもよい。印刷システム6は、店頭5により受け取られた確認済の注文を受け付け、印刷の買い手1又は2に配送され得る所望の印刷物を生成するために注文を処理する。店頭5及び印刷システム6は、注文が自動的に処理可能であるように、高度の結合で設計及び構成されることが好ましい。
【００１９】
図２は、本発明の一実施例による例示的な店頭のネットワーク20を示す図である。ネットワーク20は、限られた印刷機能を有するサービスプロバイダ14及び自動化印刷機能を有する印刷サービスプロバイダ4が、かなりの更なる設定又はトランザクションコストを負担することなく、印刷の買い手1又は2に更なる競争力のあるサービスを提供することを可能にする。
【００２０】
例えば、サービスプロバイダ14は、かなりの印刷製品の項目のカタログ及び／又はかなりの潜在的な顧客のプール（数）を有してもよい。サービスプロバイダ14のカタログは、店頭15で定義されてもよいが、サービスプロバイダ14は、自動化印刷の対策なしに妥当なコストでこれらの項目を生成できない可能性がある。逆に、印刷サービスプロバイダ4は、限られたカタログ及び／又は顧客基盤を有してもよいが、これらの印刷製品を自動的及び効率的に生成することができる。以前では、店頭15から店頭5に注文の詳細を転送する手動で誤りの生じやすい処理が必要になることがあった。１つの選択肢として、製品の定義の変更と共に継続的な調整を必要とし得る注文転送処理を自動化するカスタムソフトウェアが開発されることがあった。他の選択肢として、店頭5及び15は、困難な誤りの生じやすい処理を通じて、これらの製品の定義が相互に反映され、店頭15で受領した印刷注文が店頭5に容易に処理可能になるように構成されることがあった。
【００２１】
本発明の一態様によれば、第２の印刷製品は、店頭5で構成された第１の印刷製品の定義に関して、店頭15で定義されてもよい。好ましい実施例では、第２の製品を構成することは、第１の製品から引き継ぐことを含む。この出願の目的で、引き継ぐことは、異なる店頭からの製品の定義を受け入れて自動的に再利用することを意味する。以下に詳細に説明するように、再利用は、限られた利用可能性を有する製品の定義の特定の部分、又は製品の定義を引き継ぐ店頭により変更された製品の定義の特定の部分を有する部分的なものでもよい。製品の定義を引き継ぐことにより、これらの定義が関連付けられ、子製品の定義と親製品の定義との間の整合性が確保される。更に、子製品の定義を構成するコストは、親製品に関するその特性の所望の差により記述されるため、最小限に低減される。
【００２２】
本発明のこの態様を更に示すために、製品の定義を引き継ぐ詳細な例について説明する。製品の定義は、複数のカテゴリの情報を含んでもよい。例えば、１つのカテゴリは、印刷の買い手1又は2の目的を取得する情報を含んでもよい。他の例示的なカテゴリは、印刷製品の構造及び内容についての情報を含んでもよい。他の例示的なカテゴリは、注文の価格を決定するために使用される情報を含んでもよい。これらの情報のカテゴリは、一例として店頭5で構成されてもよい。他の例示的な情報のカテゴリは、確認済の注文から印刷物を自動的に生成するために印刷システム6により使用される印刷物制作ルールである。
【００２３】
この例で、招待状の製品が印刷サービスプロバイダ4により定義されることを仮定する。この招待状の製品は、注文で供給される全ての印刷可能な内容を有し、任意選択のRSVP及び封筒部分を有するよう、比較的一般的であるように定義される。
【００２４】
図４Ａは、この招待状の製品について店頭5で定義された例示的な印刷内容情報を示す図である。印刷目的は、注文を行うときに値が印刷の買い手1又は2により指定された一式の印刷目的パラメータ40を含むデータスキームとして構成されてもよい。各印刷目的パラメータ40は、パラメータ名41で構成される。可能なパラメータ値42は、印刷の買い手1又は2が選択することができる選択肢の範囲を記述するため、印刷目的パラメータ40毎に構成されてもよい。パラメータコメント43はまた、パラメータ又は値に関する記述情報を印刷の買い手に提供するために構成されてもよい。この例では、印刷目的パラメータ40A-40Gは、図示のように構成され、印刷の買い手1又は2が招待状の様々なパッケージの選択肢、数量及び処理選択肢を指定することを可能にする。
【００２５】
図４Ｂ〜４Ｊは、図４Ａの製品の構造及び印刷可能な内容についての例示的な情報を示す図である。図４Ｂ及び４Ｃは、基本的な招待状44の構造を示しており、４つのページ45-48のうち２つに与えられる内容を有して折り曲げられることを示している。図４Ｄ〜４Ｅは、RSVPの差し込み49と宛名付きの封筒50とを含む、注文可能な任意選択の部分を示している。図４Ｆは、組み合わされた招待状の部分を含む任意選択の仕上げ構成を示している。図４Ｇ−４Ｊは、招待状についての印刷可能な内容についての情報を示している。特に、製品について所定の内容は存在しない。しかし、顧客により与えられる内容のプレースホルダー（placeholder）51-54のサイズ及び相対位置についての指定が示されている。この構造及び内容情報は、パラメータとして、地理的に、又は前記及び他の方法の何らかの組み合わせとして、店頭5で構成されてもよい。この情報の表示は、注文されたものを明確にするために、印刷の買い手1又は2に提示されてもよい。この表示はまた、仕上げ製品を視覚化するのに役立てるため、買い手により与えられた内容を組み込んでもよい。
【００２６】
印刷価格決定モデルはまた、一式の印刷目的パラメータ40に少なくとも部分的に基づいて、招待状の製品について店頭5で構成されてもよい。明瞭にするために、例示的な印刷価格決定モデルはここでは提示されない。印刷目的パラメータに基づく印刷価格決定モデルの詳細な説明については、同一出願人による米国特許出願第11/678,250号を参照のこと。
【００２７】
自動化制作のための印刷物制作ルールはまた、一式の印刷目的パラメータ40に少なくとも部分的に基づいて、招待状の製品について印刷システム6で構成されてもよい。明瞭にするために、例示的な印刷物制作ルールはここでは提示されない。ルールに基づく印刷物制作の自動化の詳細な説明については、同一出願人による米国特許出願第11/538,937号を参照のこと。
【００２８】
店頭5で親の招待状の製品を構成すると、サービスプロバイダ14は、店頭5で定義された親の招待状の製品から引き継ぐことにより、子の招待状の製品を生成するように店頭15を構成してもよい。この例では、サービスプロバイダ14が、少ない選択肢が提供され、印刷の買い手1又は2が印刷可能な内容の部分（例えば、テキスト）のみをパーソナライズする必要がある簡単な招待状の製品を生成しようとすることを仮定する。店頭15は、店頭5と通信し、店頭5から製品定義情報を取得する。この通信は、子の製品を構成する間に行われたステップの結果として生じてもよい。代替として、店頭15は、ときどき店頭5から製品情報を取得し、その情報を店頭5の管理者に対する選択に利用可能にしてもよい。
【００２９】
１つの好ましい実施例では、子の製品は、まず、店頭5により与えられた情報に基づいて、親の製品と同じように構成される。店頭15のユーザは、子の製品のカスタム要求に基づいて定義を特殊化するように処理する。他の実施例では、子の製品を構成するために、他の自動化方法が使用されてもよい。例えば、ユーザは、ガイドとして親の定義を使用した定義処理を通じて導かれてもよい。
【００３０】
図５は、本発明の一実施例に従って第１の店頭5での製品の定義から引き継ぐことにより第２の店頭15で構成される例示的な製品の定義の一部を示す図である。特に、図５は、店頭5により定義された一式の印刷目的パラメータ40から引き継ぐことにより生成された子の製品について、パラメータ名61と、パラメータ値62と、パラメータコメント63とを含む一式の印刷目的パラメータ60を示している。この例では、子の製品の要件は、パラメータ60A、60D及び60Fについて可能な値62の範囲を更に制限することを含む。例えば、印刷目的のこのカスタマイズは、サービスプロバイダ14にとって望ましくないコスト、数量、タイミング、パッケージ、配送又は他の特性を有する選択肢を除去するために行われてもよい。
【００３１】
同様に、招待状の製品の構造及び内容についての情報が引き継がれている（図示せず）。この例では、構造情報は保持されるが、内容情報はカスタマイズされている。例えば、１つ以上の内容テンプレート（Adobe(R)  InDesign(R)テンプレート等）が子の製品の定義で各プレースホルダー51-54に関連して構成されていることを仮定する。様々な様式の招待状（例えば、誕生日、結婚式）のテンプレートは、印刷の買い手1又は2のタスクを適切なテンプレートの選択及び更なる内容の追加に簡略化するように定義されてもよい。異なるテンプレートは、印刷の買い手1又は2のニーズに適合する異なるレベルのパーソナライズを可能にし得る。例えば、テンプレートの簡略化は、印刷の買い手1又は2がテキスト情報（例えば、名前及び住所情報）のみを与えることを必要としてもよい。他の例として、より柔軟なテンプレートは、例示的なアートワーク（artwork）、画像及びテキストを提供してもよいが、印刷の買い手1又は2が所望通りに特定の項目を置換又は編集することを可能にする。例えば、内容情報のこのカスタマイズは、サービスプロバイダ14を差別化するため、又は既存の顧客基盤の特有のニーズに合致させるために行われてもよい。
【００３２】
同様に、注文の価格を決定するために使用される情報が引き継がれ（図示せず）、カスタマイズされてもよい。ここでは、複数の潜在的な実施例が可能である。一実施例では、店頭5からの価格決定モデルは、保持又はカスタマイズのために店頭15に提供されてもよい。これは、サービスプロバイダ14の観点から最も簡単であるが、印刷サービスプロバイダ4により構成される機密の価格情報に対する不要な可視化を提供する可能性がある。従って、或る実施例では、価格決定情報が引き継がれなくてもよく、印刷サービスプロバイダ4の判断で引き継がれてもよい。この場合、サービスプロバイダ14は、価格決定を独立して構成しなければならない。
【００３３】
他の実施例では、子の価格決定モデルの構造は、親から引き継がれてもよいが、機密の価格決定情報が除外されてもよい。このことは、サービスプロバイダ14による何らかの価格構成を必要とする。他の実施例では、子の価格決定モデルは構成される必要はない。その代わり、基準の価格決定が印刷サービスプロバイダ4により直接提供されてもよい。サービスプロバイダ14は、子の製品について親の価格を調整するため、この価格決定を伝えてもよく、簡単なモデル（増分先行予約（incremental  pre-order）価格又は単位毎（per-unit）価格等）を構成してもよい。
【００３４】
他の実施例では、モデルがスプレッドシートに基づく場合、引き継ぎは、子の価格決定モデルの部分を親の価格決定モデルに関連付けるが、親のモデルを可視にしないことを含んでもよい。これにより、親の価格決定におけるいずれかの変更が自動的に子のモデルに反映される。例えば、親のスプレッドシートで印刷サービスプロバイダ4により特定される価格決定パラメータ又は係数毎に、関連付けられた親のスプレッドシートに適用される加法及び／又は乗法の係数が子の価格決定スプレッドシートで構成されてもよい。従って、例えば、親の価格決定係数は増加してもよく（例えば、ある量を加算してもよく、ある量で乗算してもよい）、置換されてもよい（例えば、0で乗算して所望の量を加算してもよい）。この方法はまた、プロバイダ4がサービスプロバイダ14からの親の価格決定モデルの一部をあいまいにする又は完全に隠蔽することを可能にする。
【００３５】
図６は、本発明の他の実施例に従って第１の店頭での製品の定義に関して第２の店頭で構成される例示的な製品の定義を示している。これらの実施例では、第１の製品の印刷目的パラメータ40に関して第２の製品について異なる一式の印刷目的パラメータ70が構成されてもよい。例えば、これは、第１の製品から第２の製品を更に差別化するために行われてもよい。一実施例では、第２の製品を構成することは、第２の製品の注文が第１の製品の注文に自動的に変換され得るように、手動で生じてもよい。好ましい実施例では、第２の製品は、第２の製品が第１の製品の子であるように、第１の製品から引き継ぐことにより構成されてもよい。
【００３６】
引き継ぐ場合の実施例では、サービスプロバイダ14は、親の製品の定義を引き継ぎ、図示のように製品印刷目的パラメータ70で包含してもよい。このことは、サービスプロバイダ14が印刷目的パラメータ70と印刷目的パラメータ40との間での論理マッピングを構成することを必要とする。例えば、印刷目的パラメータ70A及び70Cは、パラメータ名41及び71及び／又は可能な値42及び72の間の整合性に基づいて、それぞれパラメータ40B及び40Eに自動的に直接マッピングされてもよい。印刷目的パラメータ70Bは、印刷目的パラメータ40A、40C、40D、40F及び40Gに手動でマッピングされてもよい。一例として、印刷目的パラメータ70Bの“yes”の値は、印刷目的パラメータ40Aの“封筒付きの仕上げ”の値、印刷目的パラメータ40Cの“折り曲げ”の値、印刷目的パラメータ40Dの“翌日”の値、印刷目的パラメータ40Fの“プレス”の値、及び印刷目的パラメータ40Gの“写真”の値にマッピングするように構成されてもよい。同様に、印刷目的パラメータ70Bの“no”の値は、印刷目的パラメータ40A、40C、40D、40F及び40Gの初期設定値にマッピングするように構成されてもよい。
【００３７】
構造及び内容についての情報を引き継ぐこと及び印刷することは、図５に関して前述したように生じてもよい。価格決定情報は、親の印刷目的パラメータ40に基づいてもよく、その代わりに印刷目的パラメータ70に基づいてもよい。後者の場合、子及び親の製品が異なる可能性が存在する。パラメータコメントは列73に列挙されている。
【００３８】
図７は、本発明の一実施例に従って引き継ぐことにより製品を構成する例示的な時系列を示す図である。特に、図７は、図２の参加者と、図５の例示的な子の製品が図４Ａ〜４Ｊの例示的な親の製品から引き継ぐことにより構成されるときに実行する選択されたステップとを示している。
【００３９】
店頭5は、ステップ300において、印刷サービスプロバイダ4が親の製品の定義を構成することで始まる。例えば、印刷目的パラメータ40は、親の製品の構造、内容及び価格302についての情報と共に定義される。次に、ステップ301において、親の製品の構成が完了したときに、親の製品についての情報が印刷システム6に自動的に送出される。
【００４０】
ステップ400に進み、印刷サービスプロバイダ4は、印刷システムでの印刷物制作ルールを構成する。完了時及び潜在的にテスト時に、ルールが起動し、ステップ401において、印刷システム6は、親の製品について注文を処理する準備ができたことを示す情報を店頭5に自動的に送出する。
【００４１】
ステップ303に進み、印刷サービスプロバイダ4は、親の製品を、その顧客の少なくとも何人かにアクセス可能であるカタログに公開する。印刷の買い手1は、親の製品へのアクセスを有する顧客として構成されてもよく、構成されなくてもよい。アクセスについて構成された場合、印刷の買い手1は、親の製品の注文を店頭5に直接提示することができる。
【００４２】
例えば前に生じてもよく後に生じてもよい（図示の場合）ステップ304において、店頭5は、店頭15が店頭5にアクセスすることを可能にするように構成される。この構成は、店頭15が店頭5で構成された製品を直接注文することができるように、課金情報、価格情報（例えば、割引）等と共に、ユーザアカウント及び特権を確立することを含んでもよい。
【００４３】
次に、店頭5へのアクセスのために既に構成された店頭でのステップ303の完了時に生じてもよいステップ305において、親の製品についての情報が店頭15に送出される。この情報は、親の製品から引き継ぐことにより子の製品を構成するために必要な情報の一部又は全部を含んでもよい。例えば、親の製品の名前及び何らかの記述情報のみが送出されてもよく、子の製品の構成中に必要に応じて更なる情報が要求されてもよい。他の例として、このステップが省略され、店頭15が引き継ぐために有効な何らかの製品についての情報を店頭5に動的に問い合わせてもよい。
【００４４】
次にステップ200において、サービスプロバイダ14は、親の製品に基づいて子の製品のニーズを決定し、前述のように子の製品を構成する。或る実施例では、店頭15は、店頭5に課金せずに印刷システム6による制作を開始せずに、構成を確認して子及び親の製品の間の依存を確認するために、店頭5への注文の提示をテストすることができる。これらのシステムによるテストモード処理は、価格及び内容のような異なる側面を確認するのに望ましい可能性がある。
【００４５】
ステップ201において、子の製品の構成及びテスト時に、サービスプロバイダ14は、少なくとも印刷の買い手1が子の製品を注文することができるように、子の製品をカタログに公開する。
【００４６】
図８は、本発明の一実施例に従って店頭のネットワークを通じて図７で構成された子の製品を注文する例示的な時系列を示す図である。印刷の買い手1は、ステップ100において、既存の顧客として店頭15にログインすることにより始まる。或る実施例では、店頭5又は15への顧客のアクセスは、ゲストアカウントを通じて又はアクセス制御なしに提供されてもよい。その代わりに、（例えばクレジットカード承認を通じた）顧客の支払い能力を確認する処理が何らかのアクセス制御に代用されてもよい。
【００４７】
次にステップ200において、店頭15は、選択のために、注文可能な製品のカタログを印刷の買い手1に提示する。ステップ101において、印刷の買い手1は、前述の子の製品を選択する。ステップ201において、店頭15は、注文についての詳細を提供するように、印刷の買い手1に問い合わせる。ステップ102において、印刷の買い手1は、印刷目的パラメータの値を少なくとも含む詳細を店頭15に提供する。子の製品の例では、印刷の買い手1はまた、店頭15により子の製品に関連する少なくとも１つの内容テンプレートと結合される何らかの内容の詳細（例えば、テキスト）を提供する。ステップ101及び102は、図示のように正確にではなく、一連の関連する情報交換として生じてもよい。
【００４８】
次にステップ202において、必要な目的及び内容情報の受領時に、店頭15は、情報（例えば、内容が目的と整合していること）を検証し、潜在的な注文についての価格を計算する。次にステップ203において、計算された価格を少なくとも含む、注文を確認する要求が印刷の買い手1に送出される。ステップ203とほぼ同時に、ステップ204において、店頭15は、子の製品について印刷の買い手1により提供された情報に基づいて親の製品の情報を導く。これは、一例として、適切な親の印刷目的値を生成し、親に必要な内容を生成すること（例えば、テンプレート及びパーソナライズ情報を結合すること）を含んでもよい。
【００４９】
次にステップ103において、店頭15から確認要求を受領した後に、印刷の買い手1は、価格を検討し、支払い情報を特定し、子の製品についての注文の確認を店頭15に送出する。確認の受領時に、ステップ205において、店頭15は、親の製品について以前に導かれた注文を確認済の注文として送出する。確認済の親の注文の受領時に、ステップ306において、店頭5は、印刷システム6への注文に基づいて自動化印刷ジョブを生成する要求を送出する。
【００５０】
ステップ401において、印刷システム6は、予め設定された印刷物制作ルールと共に、受領した印刷目的及び内容に基づいて、印刷ジョブを生成し、自動処理を始める。印刷システム6、店頭5及び店頭15はまた、各顧客に注文状態情報を提供してもよい。全ての状態指標が示されているわけではないが、制作処理の完了時に、ステップ402において、印刷システム6は、印刷が完了したことを示す。これと同時に、印刷システム6は、完了した親の製品を印刷の買い手1への配送に利用可能にするのに必要な他の動作を実行する。同様に、完了状態の受領時に、ステップ308において店頭5は店頭15に課金し、ステップ307において店頭5は店頭15に通知し、ステップ206において店頭15は完了について印刷の買い手1に通知し、ステップ207において印刷の買い手1に課金する。
【００５１】
ネットワーク店頭の更なる態様について、図３Ａを参照して説明する。図３Ａは、本発明の一実施例に従って印刷コミュニティ30の一部として動作する店頭5、15及び25の例示的なネットワークを示す図である。図３Ａは、店頭25、LAN27及び印刷システム26を運営する第２の印刷サービスプロバイダ24を示している。印刷サービスプロバイダ24は、印刷サービスプロバイダ4により提供されるものと重複してもよく、異なる価格又は他の差別化する態様で提供されてもよい印刷製品を提供する。プロバイダ4、14及び24は、印刷コミュニティ30に参加するように各店頭5、15及び25を構成し、いずれかの店頭の顧客（例えば、店頭15の印刷の買い手1）が店頭5、15及び25のいずれかにより印刷コミュニティ30に公開されたカタログから製品をブラウズして注文することを可能にしてもよい。
【００５２】
複数の印刷コミュニティが確立されてもよい。例えば、別個のコミュニティは、地理、プロバイダ、顧客、業種又は他の特性に基づいてもよい。店頭5、15及び25は、複数の印刷コミュニティの１つ以上に参加するように個々に構成されてもよい。
【００５３】
一実施例によれば、印刷の買い手1又は2が印刷コミュニティ30をブラウズすると、印刷コミュニティ30の各店頭5、15及び25は、要求を受領し、要求に基づく製品情報で応答する。この種類の通信に適応するために、複数の通信方法（ハブ・スポーク（hub-spoke）及びピア・ツー・ピア等）が当該技術分野において知られている。
【００５４】
サービスプロバイダ4、14及び24は、印刷コミュニティ30への参加時又は参加後に印刷コミュニティ30への参加について制限を確立してもよい。例えば、選択された製品は、印刷コミュニティ30に公開されてもよい。例えば、これは、機密性又は競争上の利点を維持するために必要になり得る。他の例として、製品の特性（例えば、価格情報、印刷目的の選択肢、配送方法）は、印刷コミュニティ30を通じて提供されるときに変更されてもよい。例えば、これは、印刷コミュニティ30を通じて使用される変更された特性で子の製品の定義を生成することにより実現されてもよい。
【００５５】
店頭5、15及び25はまた、印刷コミュニティ30内での相互作用に関する情報を提供してもよい。この情報は、サービスプロバイダ4、14及び24が自分のプライベート及びコミュニティの提供を洗練するのに役立ち得るレポートを生成するために格納及び使用されてもよい。或る期間の例示的なレポート情報は、店頭により受領された検索要求の数、或る検索の特性（例えば、一式の検索キーワード）に基づいて店頭により受領された検索要求の分布、店頭により（例えば、プライベート又はコミュニティのカタログで）提供される検索要求に合致する製品の数、店頭への問い合わせ（例えば、製品の詳細又は部分的に完了した注文のブラウズ）で生じた検索の数、店頭での完了した注文を生じる検索の数、及び地理やプロバイダ提携や製品の特性等のような或る特性に基づくコミュニティでの完了した注文の分布を含んでもよい。
【００５６】
図９は、本発明の一実施例に従って印刷コミュニティ30で製品をブラウズする例示的なユーザインタフェース600を示す図である。各店頭5、15及び25は、印刷コミュニティ30への参加時に、ユーザインタフェース600を顧客に提供してもよい。ユーザインタフェース600は、関心のある製品の特性を指定する検索エリア601を含む。例示的な検索の特性及び顧客の値が検索エリア601に示されている。例えば、印刷の買い手は、特定の供給業者を除外してもよく、提供される位置又はエリアに基づいて供給業者を考慮することを希望してもよい。
【００５７】
検索結果エリア602は、検索の特性に基づいて印刷コミュニティ30の店頭から受領した要約製品情報の例示的な表示を提示している。例えば、製品の要約情報は、更なる情報を取得するため、又は注文入力処理を開始するため、ユーザインタフェース600を通じて選択されてもよい。情報の提示は多くの形式になってもよい。例示的な形式は、タブ設定された要約の形式（図示せず）、詳細な形式（図示せず）、及び地図形式での供給業者の位置（図示せず）を含む。
【００５８】
図１０は、本発明に従って印刷コミュニティ30から製品を注文する例示的な時系列を示す図である。特に、図１０は、図３Ａの参加者と、印刷の買い手1が製品を検索して注文するときに実行するステップとを示している。シーケンスはブロック610で始まり、店頭5、15及び25が図７で記載したシーケンスと同様に製品を構成する一連のステップを表す。このステップにおいて、各店頭が、印刷コミュニティ30の一部でもよく一部でなくてもよい他の店頭で構成された製品から引き継ぐことにより構成されたものを場合によっては含む１つ以上の招待状の製品を構成していることを仮定する。
【００５９】
次にステップ210、310及び510において、店頭15、5及び25は、それぞれ印刷コミュニティ30に参加し、印刷コミュニティ30に関して自分のシステムを構成する。例えば、店頭15及び5が自分の招待状の製品をコミュニティに公開しているが、店頭25が公開していないことを仮定する。製品を印刷コミュニティ30に公開するときに、印刷の買い手1又は2が通知された選択を行うのを助けるため、店頭は更なる関連情報を供給する必要があってもよい。例えば、製品を提供するサービスプロバイダについての情報、製品を印刷することに関連する外注先、サービスプロバイダ及び外注先によりサービス提供される地理的位置、並びに他の関連情報が供給される必要があってもよい。
【００６０】
次にステップ100において、印刷の買い手1は、例えば個人的な及び／又は金融上の信用を確立している店頭15にログインする。次にステップ211において、店頭15は、自動的に又は印刷の買い手1からの入力に基づいて、検索ユーザインタフェース600を提示する。ステップ110において、印刷の買い手1は、検索基準を店頭15に与え、次にステップ212において、店頭15は、要求をコミュニティの全ての他の店頭にブロードキャストする。前述のように、シーケンスのこのステップ及び他のステップのために実現可能な複数の潜在的な通信及び同期の実施例が存在する。明瞭にするために、唯一の例示的な実施例がここに提示される。
【００６１】
次にステップ213、313及び513において、店頭15、5及び25は、それぞれ検索基準に合致するいずれかの製品を特定する。それぞれステップ314及び514において、店頭5及び25は、いずれかの合致する製品の情報で店頭15に応答する。この情報は、この時点では、店頭5のみからの合致を含む。店頭15は、合致する製品情報を受領する毎に、ステップ215で検索結果エリア602に更新した情報を送出することにより応答する。
【００６２】
次にステップ111において、印刷の買い手1は、検索結果エリア602から合致する製品の１つを選択し、注文処理を開始する。選択された製品が店頭5により提供されるものであることを仮定する。店頭15は、要求を受領し、ステップ216において、注文要求を店頭5に渡す。ステップ320において、店頭5は、印刷の買い手1から製品の詳細を問い合わせることにより応答する。
【００６３】
一実施例によれば、この時点で、通常では店頭5に直接のアクセスを有さない可能性がある印刷の買い手1は、店頭5と直接相互作用してもよい。例えば、これは、店頭15が店頭5に代理のアクセスを提供することにより実現されてもよい。店頭5へのアクセスは、店頭5及び／又は15により制限されてもよい。例えば、アクセスは、現在のトランザクション又はセッションに制限されてもよく、購入量によって制限されてもよい。他の実施例（図示せず）では、印刷の買い手1が店頭15と直接相互作用し、店頭15が印刷の買い手1の代わりに店頭5に印刷注文を提示するように、店頭15が店頭5の代理として動作してもよい。
【００６４】
第１の実施例を仮定すると、例えばステップ102において、印刷の買い手1は、印刷目的値及び内容を店頭5に与えることにより応答する。次にステップ321において、店頭5は注文を確認して価格決定し、ステップ322において、注文確認を要求する。その間に、ステップ515において、印刷サービスプロバイダ24が複数の製品をコミュニティに公開することを決定したことを仮定する。これは、ステップ516で最近の検索要求と合致するものとして特定された少なくとも１つの招待状の製品を含む。これに応じて、ステップ514において、店頭25は、合致する製品情報を店頭15に提供する。次にステップ215において、店頭15は、更新を検索結果エリア602に提供する。
【００６５】
印刷の買い手1は、更新された検索結果エリア602に注目し、ステップ112において、店頭5との注文を保留し、保留中の注文を保存する323。ステップ111において、印刷の買い手1は、注文する新しい製品を選択し、ステップ216において、店頭15は、これに応じて店頭25に注文を渡す。次に一連のステップを表すブロック611において、印刷の買い手1と店頭25とが図７で前述したステップと同様の確認済の注文を確立する。
【００６６】
次にステップ520において、店頭25は、印刷システム26から印刷完了の指示を受領すると、印刷の買い手1に課金する。更に、ステップ521において、店頭25は、トランザクションが終了したことを店頭15に通知する。トランザクションを終了することは、店頭15が手数料のため店頭25に課金することのような、金融トランザクションを起動してもよい。また、いずれかの保留中のトランザクション（店頭5で保留中のもの等）の終了を起動してもよい。
【００６７】
最後にステップ522において、店頭25は、注文の完了を印刷の買い手1に通知する。例えば、これは、電子メールとして又は店頭25からの直接の通知として若しくは店頭15を通じた通知として生じてもよい。
【００６８】
或る実施例では、検索エリアの特性601は、外注の設定に影響を与えるために使用されてもよい。例えば、店頭25が注文製品の完了を外注している場合、異なる都市に存在する２つ以上の外注店頭が特定され、１つが検索の特性601（例えば、印刷業者の位置）で与えられた情報に基づいて選択されてもよい。
【００６９】
図３Ｂは、他の例示的な印刷コミュニティの実施例を示す図である。この実施例では、印刷コミュニティ31は、印刷コミュニティ31の管理及び動作を容易にするために使用される印刷コミュニティサーバ32を含む。例えば、印刷コミュニティサーバ32は、印刷コミュニティ31の構造及び状態に関する情報を維持管理し、印刷コミュニティ31に関する情報（製品情報及び相互作用情報等）へのアクセスを提供してもよい。他の例として、印刷コミュニティサーバ32は、ユーザインタフェース600を直接ホストし、前述のものと同様の方法で注文要求をコミュニティの店頭に渡してもよい。
【００７０】
本発明の実施例は、コンピュータプロセッサにより実行されたときに、コンピュータプロセッサに本発明の方法を実行させる命令を有する一式のコンピュータ可読信号を伝達する如何なる媒体を有してもよい。実施例は、例えば、フロッピーディスク、ハードディスクドライブを含む磁気記憶媒体、CD-ROM、DVDを含む光記憶媒体のような物理媒体、ROM、フラッシュRAMを含む電子データ記憶媒体等、又はデジタル又はアナログ通信リンクのような他の伝送形式媒体を有してもよい。命令は、任意選択で媒体上で圧縮及び／又は暗号化されてもよい。
【符号の説明】
【００７１】
1  印刷の買い手
2  印刷の買い手
3  広域ネットワーク
4  印刷サービスプロバイダ
5  店頭
6  印刷システム
7  ローカルエリアネットワーク
10  システム
14  サービスプロバイダ
15  店頭
20  店頭のネットワーク
24  印刷サービスプロバイダ
25  店頭
26  印刷システム
27  ローカルエリアネットワーク
30  印刷コミュニティ
31  印刷コミュニティ
32  印刷コミュニティサーバ
40  印刷目的パラメータ
40A-40G  印刷目的パラメータ
41  パラメータ名
42  可能なパラメータ値
43  パラメータコメント
44  招待状
45  招待状の一面
46  招待状内部の左側ページ
47  招待状内部の右ページ
48  招待状の裏ページ
49  RSVPの差し込み
50  宛名付きの封筒
51  プレースホルダー
52  プレースホルダー
53  プレースホルダー
54  プレースホルダー
60  印刷目的パラメータ
60A-60G  印刷目的パラメータ
61  パラメータ名
62  可能なパラメータ値
63  パラメータコメント
70  印刷目的パラメータ
70A-70C  印刷目的パラメータ
71  パラメータ名
72  可能なパラメータ値
73  パラメータコメント
100  店頭へのログイン
101  カタログから子の製品を選択する
102  目的値及び内容を与える
103  注文及び支払いを確認する
110  検索要求
111  注文する製品を選択する
112  店頭での注文を保留する
200  親の製品から引き継ぐことにより子の製品を構成する
201  子の製品をカタログに公開する
202  価格を確認して計算する
203  確認を要求する
204  親の製品の注文に変換する
205  確認済の親の製品の注文を提示する
206  注文の完了
207  印刷の買い手に課金する
210  店頭が印刷コミュニティに参加する
211  検索コミュニティのユーザインタフェースを表示する
212  コミュニティの全ての店頭に検索をブロードキャストする
213  合致を特定する
215  更新された情報を検索結果エリアに送出する
216  注文の要求を店頭に渡す
300  親の製品の目的、構造及び内容を構成する
301  親の製品についての情報が印刷システムに送出される
302  親の製品の価格を構成する
303  親の製品をカタログに公開する
304  サービスプロバイダのアクセスを構成する
305  親の製品についての情報が店頭に送出される
306  注文に基づいて印刷ジョブを生成する
307  注文の完了
308  店頭に課金する
310  店頭が印刷コミュニティに参加する
313  合致を特定する
314  合致する情報を提供する
320  製品の詳細を問い合わせる
321  価格を確認して計算する
322  注文確認を要求する
323  保留中の注文を保存する
400  親の製品の印刷物制作ルールを構成する
401  印刷システムが情報を店頭に送出する
402  印刷の完了
403  製品を配送に利用可能にする
510  店頭が印刷コミュニティに参加する
513  合致を特定する
514  合致する情報を提供する
515  新しい製品をコミュニティに公開する
516  新しい製品を合致するものとして特定する
520  印刷の買い手に課金する
521  トランザクションを終了する
522  注文の完了
600  ユーザインタフェース
601  検索エリア
602検索結果エリア
610  製品の設定及びローカルの公開のシーケンス
611  印刷の買い手及び店頭が注文を確認するシーケンス
【図１】
2011524041.tif 000003
【図２】
2011524041.tif 000004
【図３Ａ】
2011524041.tif 000005
【図３Ｂ】
2011524041.tif 000006
【図４Ａ】
2011524041.tif 000007
【図４Ｂ】
2011524041.tif 000008
【図４Ｃ】
2011524041.tif 000009
【図４Ｄ】
2011524041.tif 000010
【図４Ｅ】
2011524041.tif 000011
【図４Ｆ】
2011524041.tif 000012
【図４Ｇ】
2011524041.tif 000013
【図４Ｈ】
2011524041.tif 000014
【図４Ｉ】
2011524041.tif 000015
【図４Ｊ】
2011524041.tif 000016
【図５】
2011524041.tif 000017
【図６】
2011524041.tif 000018
【図７】
2011524041.tif 000019
【図８】
2011524041.tif 000020
【図９】
2011524041.tif 000021
【図１０】
2011524041.tif 000022
【国際調査報告】
2011524041.tif 000023